(57)【要約】【課題】ペットボトルなどで、キャップの残材リングの部分もネジ式になっていてボトルから取り外せ、形状が簡単で、製造コストも抑えることができるリサイクルボトルキャップを提供する。【解決手段】このキャップ１は、全体が略円筒状で上面を有し、上部のキャップ本体７と下部のキャップ残材リング９とからなる。両者は所定の力で破断する連結部分１１により連結されている。キャップ本体７には、口部５の外周に形成された雄ネジ１３に螺合する雌ネジ１５が内周に形成される。キャップ残材リング９は、キャップ本体７に連結部により連結されて未開封時の回り止め機能を有し、開封時にはキャップ本体７の回転に伴い連結部分１１が破断されてボトルに残る。そして、口部５の外周には、雄ネジ１３と逆ネジの逆雄ネジ１７が形成され、キャップ残材リング９の内周には、この逆雄ネジ１７に螺合するために逆雌ネジ１９が形成されている。【選択図】図1
2007106451.tif 000002
【特許請求の範囲】
【請求項１】
ボトルの口部に設けられるプラスチック製のキャップであって、円筒状の前記口部の外周に形成された雄ネジに螺合する雌ネジが内周に形成されるキャップ本体と、このキャップ本体に一部が連結されて未開封時の回り止め機能を有し、開封時には前記キャップ本体の回転に伴い前記連結の部分が破断されてボトルに残るキャップ残材リングと、を有するキャップにおいて、前記口部の外周には、前記雄ネジと逆ネジの逆雄ネジが形成され、前記キャップ残材リングの内周には、前記逆雄ネジに螺合するために前記キャップ本体の前記雌ネジとは逆ネジの逆雌ネジが形成されていることを特徴とするリサイクルボトルキャップ。
【発明の詳細な説明】
【技術分野】
【０００１】
この発明は、ボトルの口部に設けられるプラスチック製のキャップの構造に関する。
【背景技術】
【０００２】
ボトルの口部に設けられるプラスチック製のキャップは、ネジ式のキャップ本体を取り外した後に、ボトルに残材リングが残る。
すなわち、この残材リングは、始めはキャップ本体に一部が連結されて未開封時の回り止め機能を有し、開封時にはキャップ本体の回転に伴い、連結の部分が破断されてボトルに残る。
【０００３】
ガラス瓶のボトルあるいはペットボトルなどで、ボトルの材質とキャップの材質は異なることが多く、リサイクルの際には、ボトルからキャップが容易に取り外せる必要がある。ところが、キャップ本体はネジ式のために容易に取り外せるものの、通常の残材リングは、ボトルの口部に形成されたリング状の凹凸と嵌合しており、容易には取り外せない。
【０００４】
下記の特許文献１には、キャップの残材リングの部分もネジ式になっていて容器本体から取り外せる機構が開示される。この残材リングは、キャップ本体の回り止め機能を果たすために、ボトルの口部に対してロックされるロック爪が設けられる。
【特許文献１】特開２００４−１１５１２７
【発明の開示】
【発明が解決しようとする課題】
【０００５】
しかしながら、特許文献１の技術では、残材リングがボトルの口部に対してロックされるロック爪が設けられなければならないため、形状が複雑になり、製造コストを引き上げてしまう。
この発明は、以上の問題点を解決するために、キャップの残材リングの部分もネジ式になっていてボトルから取り外せるのみならず、形状が簡単で、製造コストも抑えることができるリサイクルボトルキャップを提供することを目的とする。
【課題を解決するための手段】
【０００６】
以上の課題を解決するために、この発明は、ボトルの口部に設けられるプラスチック製のキャップであって、円筒状の前記口部の外周に形成された雄ネジに螺合する雌ネジが内周に形成されるキャップ本体と、このキャップ本体に一部が連結されて未開封時の回り止め機能を有し、開封時には前記キャップ本体の回転に伴い前記連結の部分が破断されてボトルに残るキャップ残材リングと、を有するキャップにおいて、前記口部の外周には、前記雄ネジと逆ネジの逆雄ネジが形成され、前記キャップ残材リングの内周には、前記逆雄ネジに螺合するために前記キャップ本体の前記雌ネジとは逆ネジの逆雌ネジが形成されていることを特徴とするリサイクルボトルキャップである。
【発明の効果】
【０００７】
この発明によれば、キャップ本体と、キャップ残材リングとは逆ネジの関係なので、連結の部分が破断していない状態では、キャップ本体をネジに従って回して上方へ外そうとすると、このキャップ本体に連結しているキャップ残材リングは下方へ締め付けられ、ボトルに残り、よってキャップ本体の回り止め機能を果たす。
【０００８】
さらに、回す力を強くすると、連結の部分が破断し、続いて回すことでキャップ本体のみが上方へ外れる。
そして、キャップ本体のみが上方へ外れた状態で、キャップ残材リングをネジに従って逆方向へ回すと、容易に上方へ取り外すことができる。
キャップ本体と、キャップ残材リングとを逆ネジの関係にすればいいので、形状が簡単で、製造コストも抑えることができる。
【発明を実施するための最良の形態】
【０００９】
この発明の実施形態を、図1及び図２に示す。
この実施形態のキャップ１は、ペットボトル３の口部５に設けられるプラスチック製のキャップ１である。このキャップ１は、全体が略円筒状で上面を有し、上部のキャップ本体７と下部のキャップ残材リング９とからなる。
キャップ本体７とキャップ残材リング９とは所定の力で破断する連結部分１１により連結されている。すなわち、キャップ１のプラスチック成形時に、キャップ本体７の下縁周囲と、キャップ残材リング９の上縁周囲とは、縁の周囲方向に一定間隔で設けられる、小さな連結部分１１により連結される。
【００１０】
キャップ本体７は、ボトル３の円筒状の口部５の外周に形成された雄ネジ１３に対し、内周に形成される雌ネジ１５が螺合する。これらのネジはキャップ本体７を上から見て右に回すことで締めつけることができる右ネジである。
【００１１】
キャップ残材リング９は、キャップ本体７に連結部分１１により連結されて未開封時の回り止め機能を有し、開封時にはキャップ本体７の強い回転に伴い連結部分１１が破断されてボトル３に残る。このように残すために、ボトル３の口部５の外周には、キャップ本体用の雄ネジ１３とは逆ネジの逆雄ネジ１７が形成される。そして、キャップ残材リング９の内周には、この逆雄ネジ１７に螺合するためにキャップ本体７の雌ネジ１５とは逆ネジの逆雌ネジ１９が形成されている。これらの逆ネジは、キャップ本体７を上から見て左に回すことで締めつけることができる左ネジである。
【００１２】
「実施形態の効果」
この実施形態によれば、キャップ本体７は右ネジで、キャップ残材リング９は左ネジで、互いに逆ネジの関係なので、連結部分１１が破断していない状態では、キャップ本体７をネジに従って右へ回して上方へ外そうとすると、このキャップ本体７に連結しているキャップ残材リング９は下方へ締め付けられ、ボトル３に残ろうとする。よって、弱い力で回す場合には、キャップ本体７の回り止め機能を果たす。
【００１３】
さらに右へ回す力を強くすると、連結部分１１が破断し、続いて回すことでキャップ本体７が、キャップ残材リング９から分離し上方へ、ボトル３から外れる。
そして、キャップ本体７のみが上方へ外れた状態で、キャップ残材リング９をネジに従って左方向へ回すと、容易に上方へ、ボトル３から外すことができる。このように容易に取り外すことができるので、リサイクルの際には、異なる材質であるボトル３とキャップ１が容易に分けられ、リサイクル作業が容易になる。
【００１４】
リサイクル作業では、数多くのボトル３からキャップ残材リング９を短時間で外さなければならず、この実施形態のように容易に外すことができることは、リサイクル作業の作業軽減につながる。特に、以上の容易さから、家庭などで既にキャップ残材リング９を外した状態でペットボトル３の回収がなされることが期待でき、リサイクル作業の大幅な作業軽減につながる。
【００１５】
また、連結部分１１が破断していない状態、あるいは破断した状態で、キャップ本体７が外れていない状態では、キャップ残材リング９をネジに従って左回して上方へ外そうとしても、キャップ本体７は下方へ締め付けられ、両者が互いに押し合って、外れることはない。
以上のように、この実施形態では、キャップ本体７と、キャップ残材リング９とを逆ネジの関係にすればいいので、形状が簡単で、製造コストも抑えることができて、キャップ残材リング９を容易に外すことができる。
【００１６】
また、キャップ本体７とキャップ残材リング９を連結部分１１と共に一体的にプラスチック成形したものを、ボトル３の口部５に被せ、口部５の軸方向の下に向けて押圧し、ネジ１３、１７の山をのり越えて圧入するキャップリングを行うことが可能である。のり越える山の高さを小さくすれば、従来のキャップリング機械を使用できる。
【００１７】
「他の実施形態」
以上の実施形態では、ボトル３はペットボトル３であったが、他の実施形態では、ガラス瓶のボトルなどでも良い。
【００１８】
以上の実施形態では、キャップ本体７は右ネジで、キャップ残材リング９は左ネジであったが、他の実施形態では、この関係を逆にし、キャップ本体７は左ネジで、キャップ残材リング９は右ネジとすることも可能である。
【００１９】
以上の実施形態では、雄ネジ１３、雌ネジ１５、逆雄ネジ１７、逆雌ネジ１９は、円筒状の口部５の周りを２から３周にわたって形成されるものであったが、他の実施形態では、４周以上でも、あるいは１周以下の形成でもかまわない。特に、キャップ残材リング９に関しての逆雄ネジ１７、逆雌ネジ１９は、半周程度でも機能できる。
【図面の簡単な説明】
【００２０】
【図１】この発明の一実施形態を示す分解斜視図である。
【図２】図１の組み立て状態を断面にした縦断面図である。
【符号の説明】
【００２１】
１…キャップ、３…ペットボトル、５…口部、７…キャップ本体、９…キャップ残材リング、１１…連結部分、１３…雄ネジ、１５…雌ネジ、１７…逆雄ネジ、１９…逆雌ネジ。
【図１】
2007106451.tif 000003
【図２】
2007106451.tif 000004